(57)【要約】【課題】  ウォーターベッドに関し、特に重量の超軽量化とバッグの破損を防止し、安全性と安定性を確保することにより、種々の使用状態に適応し、同時に設置や移動、取扱いが容易で短時間にて行なえることを可能にする。【解決手段】  底部をすり鉢状に形成したケース1に外周面を低反発粘性材5にて積層被覆した柔軟性のバッグ4を載置させ、この柔軟性のバッグ4内に多量の軽量素材Sと少量の水Wを充填した。【選択図】  図2
0003117378.tif 000002
【実用新案登録請求の範囲】
【請求項１】
発泡樹脂等の粉末、或は顆粒子、又はポリエステル樹脂等の綿状繊維、更にはこれらを適宜混合してなした水の比重に比し低い比重の軽量素材と、この軽量素材を多量に収納充填する柔軟性のバッグと、この軽量素材がその浮力で柔軟性のバッグ内の上部に密集するよう収納充填される液体とでなしたことを特徴とするウォーターベッド。
【請求項２】
柔軟性のバッグを底部が中央に向かって低くなるすり鉢状に形成したケースに格納載置させたことを特徴とする請求項1記載のウォーターベッド。
【請求項３】
柔軟性のバッグの外周面をポリマー、或はエラストマ等の低反発粘性材にて積層被覆したことを特徴とする請求項1〜2記載のウォーターベッド。
【請求項４】
液体の温度を調節するヒーターを、ケースの内面を覆う防水シートの内側に設置したことを特徴とする請求項1〜3記載のウォーターベッド。
【請求項５】
ボトムの内側の空洞部に漏れ液回収用の容器数個を設けたことを特徴とする請求項1〜4記載のウォーターベッド。
【考案の詳細な説明】
【技術分野】
【０００１】
本考案はウォーターベッドに関し、特に重量の超軽量化及び柔軟性のバッグの破損と液漏れの防止を図り、更に安全性と安定性を確保することにより、介護、医療機関等のギャッジ式ベッドを含め、種々の使用状態に適応し、同時に設置や移動、取扱いが容易で短時間にて行なえることを可能としたウォーターベッドに関する。
【背景技術】
【０００２】
従来よりバッグ内に水等の液体を充填してなるウォーターベッドがある。このベッドに人が着床した場面において、バッグ内の液体は身体の線に沿って流動し、浮力により身体全体を保持し、体圧を均一に分散することができる。つまり胎児が羊水内で眠るように、より快適な深い眠りと、ごく自然な寝姿勢を提供してくれる。正に現時点においてウォーターベッドに優る睡眠性能を備えたベッドは存在しないといえる。
【考案の開示】
【考案が解決しようとする課題】
【０００３】
しかしながら従来のウォーターベッドは、多量の液体を充填する為かなり重いものとなっており、それ自体の重量は少なくともシングルサイズで約230kg以上、セミダブルでは約310kg以上と相当な重さである。同時にそれを支えるボドム及びフレームにも相応の強度が求められ、より強固で頑丈な作りとなりベッド全体の重量はさらに重いものとなる。したがって設置や移動、取り扱いが困難な上、設置面にも十分な強度を必要とし一般家庭への普及の妨げとなっている。            
【０００４】
さらに従来のウォーターベッドは、突起物に対する適確な防御手段が無く、針やピンなど先の尖った物は簡単に突き刺さり孔が開く。当然液漏れが発生しもはやその上に着床するには無理があり、ベッドとしての役割は失われる。注射器の落下等による破損が懸念される医療現場で特に敬遠される所以である。一方漏れ出した液体はケース内に溜められるが、この時バッグ内の充填液量とケースの貯水許容量とがほぼ同等である為、液量はケース上限にまで達し、時としてケースから漏れ出し室内に流出する。この場合漏れ出した液体の回収や乾燥、その他事後処理に多大な労力と時間を要し、さらにメーカー等の適切な修理が施される迄使用は制限される。
【０００５】
ウォーターベッドには、バッグ内の液体温度を調節するためヒーターを内蔵しているが、従来のウォーターベッドは構造上その取付位置がバッグと防水シートの間、つまり防水シートの外側に位置する為、万一液漏れが発生した場合ヒーターは完全に液体に浸され、漏電や短絡の不安がつきまとう。ただここで用いられるヒーター自体にはすぐれた防水性能が備わっており、前記のような不安は全く無用なのではあるが、安全にして安全性に疑問符が付くという残念な状況となっている。
【０００６】
従来のウォーターベッドは液体の充填量が多く着床時や寝返り時において、その衝撃や振動が波打ちを誘発し横揺れが発生する。揺れは液量が多いほど大きくなり、静止までに数十秒もの時間を要する極めて不快な揺れとなっている。
【課題を解決するための手段】
【０００７】
以上の課題を解決するため本考案の取った手段を説明する。
【０００８】
バッグ内に軽量素材を充填してなるベッドは、他のベッドに比較してはるかに軽量である。本考案はその特性を活かし、図2のように軽量素材を多量に充填した柔軟性のバッグ内に少量の液体を注入し、その液量を増減することによりクッション性の硬軟調整を可能とし、更に重量の大幅な軽量化を図ることができる。
【考案の効果】
【０００９】
請求項1により、多量の軽量素材Sと少量の水Wとを、柔軟性のバッグ4内に充填収納したことにより、重量を大幅に軽量化することができる。
【００１０】
請求項2により、ケース1の底部をすり鉢状に形成したことにより、水Wの充填量は半減し、重量をさらに軽量化することができる。
【００１１】
請求項3により、柔軟性のバッグ4の外周面に低反発粘性材5を積層被覆したことにより、落下物等の衝撃が緩和、吸収され破損と水漏れを防止することができる。
【００１２】
請求項4により、防水シート6の内側にヒーター7を設置したことにより、水漏れ発生時において、水Wからヒーター7を隔離することができ、漏電や短絡を完全に防止し、安全性を図ることができる。
【００１３】
請求項5により、ボトム2の空洞内に漏れ水回収用の容器8を数個設けたことにより、水漏れ発生時において水Wは、これらの容器8に分散貯水され、ケース1より外に漏れ出すことはない。よって水Wが室内に流出することを防止し、事後処理の大幅な簡素化を図ることができる。
【００１４】
以上説明したように、本考案に係るウォーターベッドは軽量素材Sを多量に充填し、水Wを極少量に控えることにより、ベッド全体の重量を大幅に軽減すると共に、着床時における波打ち現象を防止し、軽量素材Sの流動性と吸収性により不快な横揺れを解消することができる。さらに水漏れの防止と安全性を確保することにより、種々の使用状態に適応し設置や移動、取扱いが容易で短時間にて行なえる為、介護、医療機関並びに一般家庭への普及の向上を図ることができる。
【考案を実施するための最良の形態】
【００１５】
本考案の実施の形態を図面に基づき説明する。
【実施例１】
【００１６】
図2は柔軟性のバッグ4の内部を示した横断面図であり、多量の発泡樹脂の粉末である軽量素材Sと液体として水Wが充填されている。柔軟性のバッグ4の寸法は幅800mm、長さ1900mm、厚さ150mmのシングルサイズとなっている。ここでクッション性を硬質にするには水量を減らせばよいが、着床時における底突き感を吸収するには約60mmの深さが必要であり、この時の水量は約18リットルとなる。またクッション性を軟質にするには水量を増やせばよいが、約100mmの深さを超えると体重により軽量素材Sが四方に排除され、そこに水Wが流入する。つまりこの深さを境にして水Wは常に体重のかかる位置に流動し、身体全体を保持することになり、この時の水量は約50リットルとなる。以上のように本考案のベッドには深さ約60mmから約100mm、水量として約18リットルから約50リットルの水Wを注入するのが適当であり、その重量は従来に比べ約8％から約22％と、かなり軽量となる。同時に浮力と流動性により身体全体を保持し、体圧を均一に分散することができる。
【実施例２】
【００１７】
図1は本考案の実施例であるウォーターベッドの全体斜視図であり、図3はその縦断面図である。柔軟性のバッグ4は、底部を中央に向け低くなるすり鉢状に形成したケース1に載置してあり、ここに軽量素材Sと水Wが充填されている。この時水Wの充填量は底部が平坦な従来型に比し半減となり、大幅な軽量化が達成されている。同時に最も体重のかかる臀部付近が深くなることにより、着床時における底突き感も吸収される。
【実施例３】
【００１８】
図4は柔軟性のバッグ4の部分断面図であり、外周面はスチレン系ポリマーの低反発粘性材5で積層被覆してある。これにより突起物や落下物等の衝撃を緩和、吸収し破損を防止することができる。
【実施例４】
【００１９】
図5はヒーター7の取付位置を示した縦断面図であり、ヒーター7は防水シート6の内側に取付けてある。具体的には防水シート6は脱着式となっており、柔軟性のバッグ4をケース1に載置する以前にヒーター7をケース1に取付け、その上を防水シート6で覆っている。したがって万一の水漏れ時において、ヒーター7は水Wから完全に隔離され安全性が確保できる。
【実施例５】
【００２０】
図6はボトム2の断面図であり、空洞内に漏れ水の回収容器8を4個設置してある。この容器は樹脂製の袋状であり容量は1個当り約20リットルである。具体的には水漏れ発生時において、漏れ出した水Wは防水シート6に沿って中央に流れ、排水口より配管チューブを経て、各容器8に分散貯水される。したがって水Wがケース1より外に漏れ出すことはない。
【図面の簡単な説明】
【００２１】
【図１】本考案の実施例であるウォーターベッドの全体斜視図。
【図２】柔軟性のバッグの内部を示した横断面図。
【図３】図1の縦断面図。
【図４】柔軟性のバッグの部分断面図。
【図５】ヒーターの取付位置を示した縦断面図。
【図６】ボトムの横断面図。
【符号の説明】
【００２２】
１．ケース
２．ボトム
３．フレーム
４．柔軟性のバッグ
５．低反発粘性材
６．防水シート
７．ヒーター
８．回収容器
S  軽量素材
W  水
【図１】
0003117378.tif 000003
【図２】
0003117378.tif 000004
【図３】
0003117378.tif 000005
【図４】
0003117378.tif 000006
【図５】
0003117378.tif 000007
【図６】
0003117378.tif 000008